【手続補正書】
【提出日】平成15年7月9日(2003.7.9)
【手続補正１】
【補正対象書類名】明細書
【補正対象項目名】発明の名称
【補正方法】変更
【補正の内容】
【発明の名称】インクジェット記録装置およびインクジェット記録方法
【手続補正２】
【補正対象書類名】明細書
【補正対象項目名】特許請求の範囲
【補正方法】変更
【補正の内容】
【特許請求の範囲】
【請求項１】
インクを吐出するノズルを複数有する基体と、
前記基体に設けた複数の検出部位を検出して、主走査方向における前記基体の位置に対応する基体位置信号を出力する基体位置検出手段と、
前記基体位置信号に基づいて前記インクを前記ノズルから吐出するタイミングを制御するインク吐出タイミング制御手段とを備えるインクジェット記録装置。
【請求項２】
複数の検出部位の間隔は、主走査方向において隣り合う検出部位の間隔であることを特徴とする請求項１に記載のインクジェット記録装置。
【請求項３】
インク吐出タイミング補正手段は、主走査方向または副走査方向のノズル間における、インクが吐出されるタイミングを補正することを特徴とする請求項１または２に記載のインクジェット記録装置。
【請求項４】
基体を主走査方向に走査させる走査モータを更に備え、
前記走査モータは、基体位置信号出力手段から出力される基体位置信号に基づいて回転速度を制御されることを特徴とする請求項３に記載のインクジェット記録装置。
【請求項５】
基体位置信号出力手段から出力される基体位置信号に基づいて、記録紙の送り量を制御する紙送り量制御手段を更に備えることを特徴とする請求項３または４に記載のインクジェット記録装置。
【請求項６】
インク吐出タイミング制御手段は、基体位置信号出力手段が各検出部位に対応する基体位置検出信号を出力したタイミングの時間間隔に基づいてインクを吐出するタイミングを制御することを特徴とする請求項１ないし５のいずれかに記載のインクジェット記録装置。
【請求項７】
インク吐出タイミング制御手段は、基体位置信号出力手段から出力される基体位置信号と基準値とを比較して比較結果に対応する信号を出力する比較手段を含んで構成され、前記比較手段の出力に基づいてインクを吐出するタイミングを制御することを特徴とする請求項１ないし５のいずれかに記載のインクジェット記録装置。
【請求項８】
基準値は、基体位置信号出力手段から出力される形状変化信号の平均値に基づいて設定されることを特徴とする請求項７に記載のインクジェット記録装置。
【請求項９】
比較手段における比較結果が所定値以上の場合に装置の動作を停止させることを特徴とする請求項７または８に記載のインクジェット記録装置。
【請求項１０】
インクを吐出するノズルを複数有する基体と、
この基体に設けた検出部位を検出して前記基体の形状変化に対応する形状変化信号を出力する形状変化信号出力手段と、
前記形状変化信号に応じて、前記複数のノズル間における、前記インクが吐出されるタイミングを制御するインク吐出タイミング制御手段とを備えるインクジェット記録装置。
【請求項１１】
複数の検出部位を設け、
形状変化信号出力手段は、複数の前記検出部位の間隔に応じて基体の形状変化を検出して形状変化信号を出力することを特徴とする請求項１０に記載のインクジェット記録装置。
【請求項１２】
検出部を複数のノズルによって構成されるノズル列に対応して設けることを特徴とする請求項１ないし１１のいずれかに記載のインクジェット記録装置。
【請求項１３】
インクは２色以上であり、
ノズル列は前記インクの各色に対応して設けられることを特徴とする請求項１２に記載のインクジェット記録装置。
【請求項１４】
インクを吐出するノズルを複数有する基体に設けた複数の検出部位を検出して、主走査方向における前記基体の位置に対応する基体位置信号を出力するステップと、
前記基体位置信号に基づいて前記インクを前記ノズルから吐出するタイミングを制御するステップとを含むインクジェット記録方法。
【請求項１５】
インクを吐出するノズルを複数有する基体に設ける検出部位を検出して前記基体の形状変化に対応する形状変化信号を出力するステップと、
前記形状変化信号に応じて、前記複数のノズル間における、前記インクが吐出されるタイミングを制御するステップとを含むインクジェット記録方法。
【手続補正３】
【補正対象書類名】明細書
【補正対象項目名】０００１
【補正方法】変更
【補正の内容】
【０００１】
【発明の属する技術分野】
この発明は、インクジェット記録装置およびインクジェット記録方法に関する。


【手続補正４】
【補正対象書類名】明細書
【補正対象項目名】０００６
【補正方法】変更
【補正の内容】
【０００６】
【課題を解決するための手段】
この発明にかかるインクジェット記録装置は、インクを吐出するノズルを複数有する基体と、前記基体に設けた複数の検出部位を検出して、主走査方向における前記基体の位置に対応する基体位置信号を出力する基体位置検出手段と、前記基体位置信号に基づいて前記インクを前記ノズルから吐出するタイミングを制御するインク吐出タイミング制御手段とを備えるものである。


【手続補正５】
【補正対象書類名】明細書
【補正対象項目名】０００７
【補正方法】変更
【補正の内容】
【０００７】
また、インクを吐出するノズルを複数有する基体と、この基体に設けた検出部位を検出して前記基体の形状変化に対応する形状変化信号を出力する形状変化信号出力手段と、前記形状変化信号に応じて、前記複数のノズル間における、前記インクが吐出されるタイミングを制御するインク吐出タイミング制御手段とを備えるものである。


【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００４７
【補正方法】変更
【補正の内容】
【００４７】
【発明の効果】
この発明は以上説明したように、ノズルを設けた基体の主走査方向における位置に応じて、前記ノズルからインクを吐出するタイミングを制御することによって、良好な印画品質を得ることができる。
【手続補正１３】
【補正対象書類名】明細書
【補正対象項目名】００４８
【補正方法】変更
【補正の内容】
【００４８】
また、ノズルを設けた基体の形状変化に応じて、前記ノズルからインクを吐出するタイミングを制御することによって、良好な印画品質を得ることができる。
【手続補正１４】
【補正対象書類名】明細書
【補正対象項目名】００４９
【補正方法】削除
【補正の内容】
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】
【手続補正１７】
【補正対象書類名】明細書
【補正対象項目名】００５２
【補正方法】削除
【補正の内容】
【手続補正１８】
【補正対象書類名】明細書
【補正対象項目名】００５３
【補正方法】削除
【補正の内容】
【手続補正１９】
【補正対象書類名】明細書
【補正対象項目名】００５４
【補正方法】削除
【補正の内容】
【手続補正２０】
【補正対象書類名】明細書
【補正対象項目名】００５５
【補正方法】削除
【補正の内容】